(57)【特許請求の範囲】
【請求項１】
自動車のハンドルを被覆するためのカバー部材と、
前記カバー部材の一方の表面に固定される底部部材と、
前記カバー部材と結合され、前記底部部材の上方に位置し、前記底部部材の上に置かれた閲覧物を押さえるための押圧部材と、
閲覧物が挟持されるための挟持部と前記底部部材の表面に接着されるための貼り合せ部とを有する固定部材と、
を備えることを特徴とする自動車用書架。
【請求項２】
前記カバー部材は、円環状であり、その内環側に開口が形成されることにより、前記ハンドルの表面を被覆することを特徴とする請求項１に記載の自動車用書架。
【請求項３】
前記底部部材は、紡績布、人工皮、動物皮、テープ、ネット層またはこれらを接着したいずれかであることを特徴とする請求項１に記載の自動車用書架。
【請求項４】
前記底部部材には、強化層がさらに設けられていることを特徴とする請求項１に記載の自動車用書架。
【請求項５】
前記底部部材と前記固定部材の貼り合せ部とは互いに対応する面ファスナーセットであることを特徴とする請求項１に記載の自動車用書架。
【請求項６】
前記押圧部材は、間隔をおいて設けられた２つの弾性バンド、ベルト、板バネまたは押さえ板のいずれか一つであることを特徴とする請求項１に記載の自動車用書架。
【請求項７】
前記弾性バンドは、伸縮可能のバンドであることを特徴とする請求項６に記載の自動車用書架。
【請求項８】
前記ベルトの一端が前記カバー部材に固定され、前記ベルトの他端には第１の固定部材が設けられ、前記カバー部材に前記第１の固定部材に対応する第２の固定部材が設けられていることを特徴とする請求項６に記載の自動車用書架。
【請求項９】
前記押さえ板は、湾曲不可能な板材から成り、前記押さえ板の一端に回動部材により前記カバー部材に固定され、前記押さえ板の他端に第１の固定部材が設けられ、前記カバー部材に前記第１の固定部材に対応する第２の固定部材が設けられていることを特徴とする請求項６に記載の自動車用書架。
【請求項１０】
前記第１の固定部材と第２の固定部材とは、互いに対応する雄雌ボタンまたは面ファスナーセットのいずれか一つであることを特徴とする請求項８または９に記載の自動車用書架。
【請求項１１】
前記板バネは、湾曲可能のものであり、前記板バネの一端が前記カバー部材に固定され、前記板バネの他端が弾性的に開放され、前記閲覧物が弾性的に挟持されることを特徴とする請求項６に記載の自動車用書架。
【発明の詳細な説明】
【技術分野】
【０００１】
本発明は、自動車用書架に関し、特に自動車のハンドルに用いられる固定ホルダーに関する。
【背景技術】
【０００２】
統計によれば、交通事故の原因として、飲酒運転、疲労運転、自動車の故障のほか、注意力が散漫となることが挙げられる。運転手の注意力が散漫になる原因としては、携帯電話を使うことや道路状況に不慣れで地図などの案内書物を見ながら運転することが挙げられる。現在、世界の多くの先進国では、運転手が運転時に携帯電話を使用することを法律で禁じ、或いは携帯電話を手に取って聞いたり電話を掛けたりすることを法律で禁じることによって、電話での通話のために注意力が散漫となることによる事故の発生を抑止している。
【発明の開示】
【発明が解決しようとする課題】
【０００３】
案内書物を手で支えて調べながら運転すると、運転手の注意力が散漫になることがよくある。例えば、交差点またはゲートを通過する際に手で支えた地図で確認しながら進もうとすると、道路状況に気付かずに事故になることがよくあるので、運転時には、安全を確保するため、運転以外の動作をしないほうがよい。
【０００４】
また、停車時に車を降りず車内で誰かを待っている場合には、待っている間に時間を無駄にしないように書籍や雑誌を車内で読むのが通常である。しかしながら、車内では書籍や雑誌を置く装置又は構造がなく、閲覧物を手で支えて読むと手が痛くなり、車内で読むのに不便である。
【０００５】
従って、停車時に運転手が車内で待っている間に閲覧物を置くことができ、閲覧物を固定させるための固定ホルダーを如何にして提供するかは、解決が待たれる極めて重要な課題である。
【０００６】
そこで、上記の事情に鑑み、本発明は、運転手が停車の際に閲覧物をハンドルにホールドさせることにより容易に調べたり読んだりできるようにするための自動車用書架を提供することを課題とする。
【課題を解決するための手段】
【０００７】
上記の課題を解決するために、本発明に係る自動車用書架は、
自動車のハンドルを被覆するためのカバー部材と、
カバー部材の一方の表面に固定される底部部材と、
カバー部材と結合され、底部部材の上方に位置し、底部部材の上に置かれた閲覧物を押さえるための押圧部材と、を備えている。
【０００８】
本発明に係る自動車用書架は、さらに、閲覧物が挟持されるための挟持部と底部部材の表面に結合されるための貼り合せ部とを有する固定部材を備え、底部部材と固定部材の貼り合せ部とは互いに対応するマジックテープ（登録商標）セットなどの面ファスナーであってもよい。
【発明の効果】
【０００９】
カバー部材は円環状であり、ハンドルに結合するための皮革カバーである。底部部材は、カバー部材の内側に接続され、押圧部材は、間隔をおいてカバー部材の外表面に接続される２つの弾性バンド、ベルト、板バネまたは押さえ板であり、かつ底部部材との間に間隙を置くことにより、開いた閲覧物を底部部材の表面に置き、閲覧物が押圧部材により押圧されるのが好ましい。こうした構成により、薄い閲覧物例えば地図、雑誌または旅行パンフレット等が押圧部材と底部部材との間に挟持され、閲覧物がハンドル上に挟持されることが可能となっているため、停車時に閲覧物で調べものや読書をするのに便利である。
【００１０】
また、厚い閲覧物は、固定部材により挟持され、底部部材の表面上に結合されることにより、閲覧物が安定的にハンドルの上に介在される。また、一枚の紙や紙片で、押圧部材により挟み固定しにくい場合、固定部材により固定され底部部材の表面に直接結合されることが可能である。
【００１１】
また、本発明に係る自動車用書架では、閲覧物をハンドル上に取り付けられた書架に固定することにより、停車時に車内で誰かを待っている間に閲覧物を読むことで時間を有効に活用できるとともに、閲覧物を両手で支えて読む時のように手が痛くなることがなく、またユーザーと閲覧物との間は適度な距離が維持されるため、目の保護にも有利である。
【００１２】
また、本発明に係る自動車用書架では、地図をハンドル上に取り付けられた書架に固定することにより、赤信号による停車または路肩での駐停車中に経路を調べようとする場合、交差点で躊躇する場合であっても、極めて短時間で確認することができ、地図を手で支えて道路の標示を探す欠点を回避できるため、運転の効率がよくなり、道路状況の把握がしやすくなるとともに、運転の安全性も大幅に向上する。
【発明を実施するための最良の形態】
【００１３】
以下、本発明を実施の形態に基づいてさらに詳細に説明するが、本発明はこれらの実施の形態に限定されるものではなく、本発明の技術思想の範囲内で数々の修正や変更が可能であることは言うまでもない。
【００１４】
図１および図２は、本発明に係る自動車用書架の具体的な実施形態の１つの断面を示す。図に示すように、自動車用書架は少なくとも、自動車のハンドル１０に取り付けられ、円環状を成し、その内環側に開口１１０が形成されることでハンドル１０の表面を被覆可能にするカバー部材１１と、カバー部材１１に設けられ、紡績布、人工皮、動物皮、テープ、ネット層またはこれら1つ以上を接着した底部部材１２と、カバー部材１１に設けられる、例えば弾性バンド１３ａの押圧部材と、を備えている。
【００１５】
図３に示すように、新聞、雑誌または旅行ガイドパンフレット等の閲覧物２０を底部部材１２と弾性バンド１３ａとの間に置き、例えば２つの弾性バンド１３ａである押圧部材により、開いた閲覧物２０が両側に押圧され、閲覧物２０がハンドル１０上に固定されることにより、停車時において旅行経路を調べるのに便利となる。
【００１６】
図４Ａおよび図４Ｂは、押圧部材の他の実施形態を示す。この実施形態においては、押圧部材はベルト１３ｂであり、ベルト１３ｂの一端がカバー部材１１に固定され、ベルト１３ｂの他端には第１の固定部材１４ａが設けられている。カバー部材１１に第１の固定部材１４ａに対応する第２の固定部材１４ｂが設けられている。第１、第２の固定部材１４ａ、１４ｂは、互いに対応する雄雌ボタンまたはマジックテープ（登録商標）セットなどの面ファスナーであり、ベルト１３ｂが第１、第２の固定部材１４ａ、１４ｂにより結合され、閲覧物２０の取り外しおよび固定が可能になる。
【００１７】
図５は、押圧部材の他の実施形態を示す。この実施形態においては、押圧部材は、湾曲可能の板バネ１３ｃである。この板バネ１３ｃの一端がカバー部材１１に固定され、板バネ１３ｃの他端が弾性的に開放され、閲覧物２０が弾性的に挟持される。
【００１８】
図６Ａおよび図６Ｂは、押圧部材のさらに他の実施形態を示す。この実施形態においては、押圧部材は、押さえ板１３ｄである。この押さえ板１３ｄは湾曲不可能の板材から成り、押さえ板１３ｄの一端が回動部材１５によりカバー部材１１に固定され、押さえ板１３ｄの他端に第１の固定部材１４ａが設けられている。カバー部材１１に第１の固定部材１４ａに対応する第２の固定部材１４ｂが設けられ、第１、第２の固定部材１４ａ、１４ｂは、互いに対応する雄雌ボタンまたはマジックテープ（登録商標）セットなどの面ファスナーであり、押さえ板１３ｄが第１、第２の固定部材１４ａ、１４ｂにより結合され、閲覧物２０の取り外しおよび固定が可能になる。
【００１９】
図７に示すように、底部部材１２の底面には強化層１２ａが設けることができる。強化層１２ａにより底部部材１２の支持強度を強化することもできる
【００２０】
図８Ａに示すように、底部部材として、接着面を有する底部部材１２’であってよい。本発明は、挟持部３０ａおよび貼り合せ部３０ｂを有する固定部材３０を備えている。挟持部３０ａにより閲覧物２０が挟持され、接着面を有する底部部材１２’と固定部材３０の貼り合せ部３０ｂとは、互いに対応する１組のマジックテープ（登録商標）などの面ファスナーであり、固定部材３０の貼り合せ部３０ｂが接着面を有する底部部材１２’の表面に接着され、閲覧物２０が固定部材３０により接着面を有する底部部材１２’に固定され、これにより頁数が多く重い閲覧物２０を挟持することが可能となる。
【００２１】
図８Ｂに示すように、閲覧物２０’が回数券や駐車カード等の一枚の小紙片の場合、固定部材３０を介して閲覧物２０’が挟持されることにより接着面を有する底部部材１２’に直接接着される。また、装飾品である場合、造形の異なる固定部材３０により装飾品を接着固定することができるため、固定部材３０の造形を適宜変化させれば容易に固定する目的を達成することができる。
【００２２】
また、本発明に係る自動車用書架では、停車時に車内で人を待っている間、閲覧物をハンドル上に取り付けられた書架に固定して読むことができる。そのため閲覧物を手で支えて読むことによって手が痛くなるようなこともなく、ユーザーと閲覧物との間は適度な距離が維持されるため、過度に閲覧物に近づくことによって目が近視になることを回避でき、目の保護にも有利である。
【００２３】
また、本発明に係る自動車用書架では、地図をハンドル上に取り付けられた書架に固定することにより、赤信号による停車時または路肩での駐停車中に経路を調べようとする場合、地図を手で支えて道路の標示を探す欠点を回避できるため、運転の効率がよくなり、道路状況の把握がしやすくなるとともに、運転の安全性も大幅に向上する。
【００２４】
上記のように、本発明に係る自動車用書架では、利便性、運転の安全性および多機能性といった利点があるため、産業上の利用価値が大幅に向上している。
【００２５】
以上、本発明を実施の形態をもとに説明したが、本発明の請求範囲は上記実施の形態に記載の範囲には限定されない。上記実施の形態は例示に過ぎず、それらの各構成要素の組み合わせに、さらにいろいろな変形例が可能なこと、またそうした変形例も本発明の請求範囲にあることは当業者に理解されるところである。
【図面の簡単な説明】
【００２６】
【図１】本発明に係る自動車用書架の断面図である。
【図２】本発明に係る自動車用書架の立体図を示す。
【図３】本発明に係る自動車用書架の押圧部材の第１の実施形態によって、閲覧物が挟持される立体図を示す。
【図４Ａ】本発明に係る自動車用書架の押圧部材の第２の実施形態の断面を示す。
【図４Ｂ】本発明に係る自動車用書架の押圧部材の第2の実施形態の正面図を示す。
【図５】本発明に係る自動車用書架の押圧部材の第３の実施形態の断面図である。
【図６Ａ】本発明に係る自動車用書架の押圧部材の第４の実施形態の断面を示す。
【図６Ｂ】本発明に係る自動車用書架の押圧部材の第４の実施形態の正面図を示す。
【図７】本発明に係る自動車用書架の他の実施形態の断面図である。
【図８Ａ】本発明に係る自動車用書架において固定部材により閲覧物が挟持される立体分解図を示す。
【図８Ｂ】本発明に係る自動車用書架において固定部材により一枚刷りの閲覧物が挟持される立体図を示す。
【符号の説明】
【００２７】
１０  ハンドル
１１  カバー部材
１１０  開口
１２  底部部材
１２’  接着面を有する底部部材
１２ａ  強化層
１３ａ  弾性バンド
１３ｂ  ベルト
１３ｃ  板バネ
１３ｄ  押さえ板
１４ａ  第１の固定部材
１４ｂ  第２の固定部材
１５  回動部材
２０  閲覧物
２０’  閲覧物
３０  固定部材
３０ａ  挟持部
３０ｂ  貼り合せ部
【図１】
0004728274.tif 000002
【図２】
0004728274.tif 000003
【図３】
0004728274.tif 000004
【図４Ａ】
0004728274.tif 000005
【図４Ｂ】
0004728274.tif 000006
【図５】
0004728274.tif 000007
【図６Ａ】
0004728274.tif 000008
【図６Ｂ】
0004728274.tif 000009
【図７】
0004728274.tif 000010
【図８Ａ】
0004728274.tif 000011
【図８Ｂ】
0004728274.tif 000012